(57)【要約】 【課題】  複数に分割された高精細映像を高速に取り込むことができる映像編集装置を提供する。【解決手段】  映像入力／出力部１０１〜１０５には、１つの映像が空間的に分割された複数の映像データが入力される。同期制御部１０６は、タイミング信号およびタイムコードを生成し、映像入力／出力部１０１〜１０５へ出力する。映像入力／出力部１０１〜１０５は、映像データに付与されたタイムコードと、同期制御部１０６によって生成されたタイムコードとが同一であった場合に、タイミング信号に基づいたタイミングで映像データをデータ制御部１０８へ出力する。データ制御部１０８は、映像データを映像保存部１１１〜１１５に格納する。【選択図】    図１
2006019804.tif 000002
【特許請求の範囲】
【請求項１】
全体映像が空間的に分割された個々の分割映像に対応した複数の映像データが外部装置から入力される映像入力手段と、
前記複数の映像データを記憶する映像記憶手段と、
前記映像入力手段に入力された前記映像データを前記記憶手段に格納する映像格納手段と、
前記映像入力手段に入力された前記複数の映像データが前記映像格納手段へ出力される際の出力を同期させるための同期信号を発生する同期制御手段と、
前記複数の映像データを前記映像記憶手段から読み出して編集する編集手段と、
を具備し、
前記映像入力手段は、入力された前記複数の映像データを、前記同期信号に基づいたタイミングで前記映像格納手段へ出力する
ことを特徴とする映像編集装置。
【請求項２】
前記同期制御手段はさらに、時系列の情報からなる第１の時間情報を生成し、
前記映像入力手段は、前記映像データに付与された時系列の情報からなる第２の時間情報と、前記第１の時間情報とを比較し、両者が同一であった場合に、前記同期信号に基づいたタイミングで前記映像データを前記格納手段へ出力する
ことを特徴とする請求項１に記載の映像編集装置。
【請求項３】
前記映像記憶手段は、前記複数の映像データの各々に対応した複数の記録媒体からなることを特徴とする請求項１または請求項２に記載の映像編集装置。
【請求項４】
前記複数の映像データを構成する各フレームの画像データを識別するためのインデックスデータを生成するインデックス生成手段と、
前記インデックスデータを記憶するインデックス記憶手段と、
前記インデックス生成手段によって生成された前記インデックスデータを前記インデックス記憶手段に格納するインデックス格納手段と、
をさらに具備することを特徴とする請求項１〜請求項３のいずれかの項に記載の映像編集装置。
【請求項５】
前記編集手段は、前記映像記憶手段に格納された前記複数の映像データに対する編集の手順および内容が予め記録された手順データと前記インデックスデータとに基づいて、編集に必要な前記複数の映像データを前記映像記憶手段から読み出し、各々の前記映像データを編集することを特徴とする請求項４に記載の映像編集装置。
【請求項６】
前記インデックスデータは、前記映像データに対応した前記分割映像の、前記全体映像における空間的な位置を示す位置データと、前記映像データを構成する各フレームの画像データを識別する識別データとを含むことを特徴とする請求項５に記載の映像編集装置。
【請求項７】
前記外部装置から入力される前記映像データには、前記全体映像における該映像データの空間的な位置を示す位置情報が含まれており、
前記インデックス生成手段はさらに、前記映像入力手段を介して入力された前記映像データ中の前記位置情報に基づいて前記位置データを生成する
ことを特徴とする請求項６に記載の映像編集装置。
【発明の詳細な説明】
【技術分野】
【０００１】
本発明は、大容量の画像データにより構成される高精細デジタル映像を外部装置から取り込んで編集する映像編集装置に関する。
【背景技術】
【０００２】
近年、高精細映像を撮像する撮像装置として、以下に説明するものが開示されている。例えば、特許文献１には、複数の撮像素子を用いて高精細映像を出力する撮像装置が開示されている。また、特許文献２には、所定のテレビ方式で定められた画素数の定数倍の画素数を有する固体撮像装置の全画素を複数の領域に分割して読み出し、所定の映像信号を出力する撮像装置が開示されている。このような方式で撮像された映像は、一般に、複数のレコーダを用いて記録される。一方、映像を編集する映像編集装置は、例えば特許文献３に開示されている。
【特許文献１】特許第３２９８９１３号公報
【特許文献２】特開２００１−２１１３７０号公報
【特許文献３】特開２０００−１６３６０３号公報
【発明の開示】
【発明が解決しようとする課題】
【０００３】
従来、映像編集装置で映像を編集する場合、一旦、映像信号を映像編集装置内の記録装置に取り込んだ後に編集を行っていた。この時、記録装置が複数の記録媒体からなり、映像信号を各記録媒体に分けて記録する場合には、映像信号を映像編集装置内に取り込むのに時間がかかるという問題点があった。また、取り込んだ映像が各記録媒体に分割されて保存されるので、映像を効率的に編集することができなかったり、作業によってはそもそも行うことができないものも発生していたという問題点があった。
【０００４】
また、特許文献２に記載されているように、ＨＤＴＶ（Ｈｉｇｈ  Ｄｅｆｉｎｉｔｉｏｎ  Ｔｅｌｅｖｉｓｉｏｎ）方式のような高精細映像の定数倍の画素数を有する撮像装置の全画素を複数の領域に分割し、各分割に対応した映像を記録する複数の記録媒体からなる記録装置を有する映像編集装置を用いて編集を行う場合には、以下のような問題点があった。このような高精細映像を編集する場合には、分割された複数の高精細映像を結合して元の全体映像を作成して、映像編集装置に一旦保存する必要があった。このため、記録装置には非常に多くの記録容量が必要であり、また保存に時間がかかるという問題点があった。
【０００５】
本発明は、上述した問題点に鑑みてなされたものであって、複数に分割された高精細映像を高速に取り込むことができる映像編集装置を提供することを第１の目的とする。また、必要な記録容量を削減し、映像データを効率的に編集することができる映像編集装置を提供することを第２の目的とする。
【課題を解決するための手段】
【０００６】
本発明は上記の課題を解決するためになされたもので、請求項１に記載の発明は、全体映像が空間的に分割された個々の分割映像に対応した複数の映像データが外部装置から入力される映像入力手段と、前記複数の映像データを記憶する映像記憶手段と、前記映像入力手段に入力された前記映像データを前記記憶手段に格納する映像格納手段と、前記映像入力手段に入力された前記複数の映像データが前記映像格納手段へ出力される際の出力を同期させるための同期信号を発生する同期制御手段と、前記複数の映像データを前記映像記憶手段から読み出して編集する編集手段とを具備し、前記映像入力手段は、入力された前記複数の映像データを、前記同期信号に基づいたタイミングで前記映像格納手段へ出力することを特徴とする映像編集装置である。
【０００７】
請求項２に記載の発明は、請求項１に記載の映像編集装置において、前記同期制御手段はさらに、時系列の情報からなる第１の時間情報を生成し、前記映像入力手段は、前記映像データに付与された時系列の情報からなる第２の時間情報と、前記第１の時間情報とを比較し、両者が同一であった場合に、前記同期信号に基づいたタイミングで前記映像データを前記格納手段へ出力することを特徴とする。
【０００８】
請求項３に記載の発明は、請求項１または請求項２に記載の映像編集装置において、前記映像記憶手段は、前記複数の映像データの各々に対応した複数の記録媒体からなることを特徴とする。
【０００９】
請求項４に記載の発明は、請求項１〜請求項３のいずれかの項に記載の映像編集装置において、前記複数の映像データを構成する各フレームの画像データを識別するためのインデックスデータを生成するインデックス生成手段と、前記インデックスデータを記憶するインデックス記憶手段と、前記インデックス生成手段によって生成された前記インデックスデータを前記インデックス記憶手段に格納するインデックス格納手段とをさらに具備することを特徴とする。
【００１０】
請求項５に記載の発明は、請求項４に記載の映像編集装置において、前記編集手段は、前記映像記憶手段に格納された前記複数の映像データに対する編集の手順および内容が予め記録された手順データと前記インデックスデータとに基づいて、編集に必要な前記複数の映像データを前記映像記憶手段から読み出し、各々の前記映像データを編集することを特徴とする。
【００１１】
請求項６に記載の発明は、請求項５に記載の映像編集装置において、前記インデックスデータは、前記映像データに対応した前記分割映像の、前記全体映像における空間的な位置を示す位置データと、前記映像データを構成する各フレームの画像データを識別する識別データとを含むことを特徴とする。
【００１２】
請求項７に記載の発明は、請求項６に記載の映像編集装置において、前記外部装置から入力される前記映像データには、前記全体映像における該映像データの空間的な位置を示す位置情報が含まれており、前記インデックス生成手段はさらに、前記映像入力手段を介して入力された前記映像データ中の前記位置情報に基づいて前記位置データを生成することを特徴とする。
【発明の効果】
【００１３】
本発明によれば、複数の映像信号を、同期信号に基づいたタイミングで映像編集装置内に取り込むようにしたので、高精細映像を高速に取り込むことができるという効果が得られる。また、複数の映像データを構成する各フレームの画像データを識別するためのインデックスデータを生成し、複数の映像データに対する編集の手順および内容が予め記録された手順データとインデックスデータとに基づいて、編集に必要な複数の映像データの各々を編集するようにしたので、必要な記録容量を削減し、映像データを効率的に編集することができるという効果が得られる。
【発明を実施するための最良の形態】
【００１４】
以下、図面を参照し、本発明を実施するための最良の形態について説明する。図１は、本発明の第1の実施形態による映像編集装置１の構成を示すブロック図である。以下、図中の各構成について説明する。この映像編集装置１には、ひとつの画像が空間的に複数に分割され、各分割画像に対応した、例えばＨＤＴＶ方式の複数の映像信号（実映像データ）が入力される。映像入力／出力部１０１〜１０５は、上記の複数の映像信号を映像編集装置１内に取り込むと共に、映像編集装置１内で加工、編集された実映像データを映像信号として出力するためのインターフェースの機能と、データの入出力を制御する機能とを有している。
【００１５】
同期制御部１０６は、映像入力／出力部１０１〜１０５を介して入力される実映像データを高速に記録するため、映像入力／出力部１０１〜１０５からデータ制御部１０８への複数の実映像データの出力を同期させる。システム制御部１０７は映像編集装置１内の各部を制御する。データ制御部１０８は、複数の実映像データと、各実映像データに対応した映像保存部１１１〜１１５との対応関係に基づいて、実映像データの記録および読み出しを制御する。映像保存部１１１〜１１５は、空間的に複数に分割された各実映像データに対応して設けられており、この実映像データを記憶する。この映像保存部１１１〜１１５は、磁気ディスクや半導体メモリ等の組合せからなる。
【００１６】
本実施形態において、映像保存部１１１〜１１５はそれぞれ別個の記録媒体によって構成されているが、記録媒体の記録容量が大きい、あるいは少量の実映像データを保存するだけでよい場合には、映像保存部１１１〜１１５の全体が一つの記録媒体によって構成され、複数の実映像データに対応して、記録媒体中の記録領域が論理的に複数に分割されていてもよい。編集部１２０は、映像編集装置１内に取り込まれた実映像データを編集する。インデックス生成部１５０は、後述するインデックスデータを生成する。このインデックスデータは、実映像データの編集時に編集を効率的に行うため、映像保存部１１１〜１１４に記録された実映像データを構成する各フレームの画像データを識別する情報である。
【００１７】
次に、本実施形態による映像編集装置１に映像信号を取り込む場合に、必要な装置間の接続関係について説明する。図２は、外部装置（映像信号発生源１３０）から映像信号を取り込む場合の接続関係をブロック図で示している。図１におけるシステム制御部１０７、編集部１２０、およびインデックス生成部１５０は図示を省略している。図において、映像信号発生源１３０は、同時に複数の映像信号を発生することができる撮像装置またはレコーダ等の装置である。この映像信号発生源１３０は、後述する５つのチャンネルにより、映像信号を映像編集装置１へ出力する。また、映像信号発生源１３０は、システム制御部１０７との制御信号２００の送受信を介して、映像編集装置１によって制御される。
【００１８】
図３は、映像信号発生源１３０の構成を示すブロック図である。映像信号発生源１３０においては、高精細映像素材１４０が磁気記録装置等に予め記録されているものとする。この映像信号発生源１３０は、映像出力が可能な５つのチャンネルＡ〜Ｅを備えている。映像信号発生源１３０は、高精細映像素材１４０を磁気記録装置から読み出し、空間的な領域ごとに分割して実映像データ１３１〜１３４を生成すると共に、高精細映像素材１４０の画素を間引く、あるいは画素補間を行うことにより画素数を縮小した縮小映像データ１３５を生成する。
【００１９】
本実施形態において、実映像データ１３１は高精細映像の左上１／４の領域、実映像データ１３２は右上１／４の領域、実映像データ１３３は左下１／４の領域、実映像データ１３４は右下１／４の領域に対応した映像のデータであるとする。縮小映像データ１３５は高精細映像素材１４０の全体が縮小されたサムネールの映像データである。これらの映像データには、それらが生成された際に、フレームごとにタイムコード（第２の時間情報）が付与されている。このタイムコードは１フレームごとに生成されるもので、時・分・秒・フレームを示す形式（ＨＨ：ＭＭ：ＳＳ：ＦＦ）の時系列データである。映像信号発生源１３０は、実映像データ１３１〜１３４および縮小映像データ１３５のそれぞれに対応したチャンネルＡ〜Ｅから各映像データを出力する。これらの映像データは、映像編集装置１の映像入力／出力部１０１〜１０５に入力される。
【００２０】
次に、本実施形態による映像編集装置１の同期制御部１０６の構成について説明する。図４は、同期制御部１０６の構成を示すブロック図である。以下、図中の各構成について説明する。この同期制御部１０６は、システム制御部１０７によって制御される。フレーム同期信号生成器２０１は、映像信号のフレームに合わせて、映像入力／出力部１０１〜１０５の動作を同期させるためのタイミング信号（同期信号）を発生する。映像信号を映像信号発生源１３０から映像編集装置１に取り込む場合、あるいは映像編集装置１から他の装置へ出力する場合に、フレーム同期信号生成器２０１はタイミング信号を発生し、映像入力／出力部１０１〜１０５へ出力する。
【００２１】
タイムコード生成器２０２は、予め指定された開始点に対応した開始時刻から終了時刻まで所定の時間間隔で時刻が変化するタイムコード（第１の時間情報）を発生する。コマンド生成器２０３は、システム制御部１０７による指示に基づいて、映像信号を取り込む際のコマンドを生成する。このコマンドには、映像信号の取り込み開始、取り込み停止、映像の再生開始、再生停止等のコマンドが用意されている。
【００２２】
ユーザは、実映像データ１３１〜１３４および縮小映像データ１３５に付与されているタイムコードを以下のようにして予め確認することができる。映像信号を映像編集装置１に取り込む前に、ユーザは、映像信号発生源１３０に設けられている図示せぬ管理用モニタにタイムコードを表示させ、確認する。あるいは、映像信号発生源１３０にモニタを接続し、映像信号をモニタに出力して映像をタイムコードと共に表示することにより、タイムコードを確認してもよい。続いて、ユーザは、映像編集装置１に設けられた図示せぬ操作部（キーボード、マウス、タブレット等）を操作し、取り込みを開始する開始点のタイムコードと、取り込みを終了する終了点のタイムコードとを入力する。
【００２３】
次に、映像編集装置１に映像信号を取り込む場合の動作について説明する。映像信号発生源１３０は外部コントロールが可能な装置であり、システム制御部１０７から出力される制御信号によって、再生する映像の選択、映像再生の開始指示、映像再生の停止指示等が行われる。図示せぬ操作部を介してユーザによって映像信号の取り込みが指示されると、システム制御部１０７は、映像信号の取り込みの開始を同期制御部１０６に指示する。この指示を受けた同期制御部１０６において、コマンド生成器２０３は取り込み開始コマンドを映像入力／出力部１０１〜１０５へ出力する。また、フレーム同期信号生成器２０１はタイミング信号を生成して映像入力／出力部１０１〜１０５へ出力し、タイムコード生成器２０２は、指定された開始点に対応した開始時刻から、終了点に対応した終了時刻まで所定の時間間隔で時刻が変化するタイムコードを生成し、映像入力／出力部１０１〜１０５へタイムコードを順番に出力する。
【００２４】
システム制御部１０７は、映像信号の取り込みを開始するための制御信号を映像信号発生源１３０へ出力する。この制御信号に基づいて、映像信号発生源１３０は実映像データ１３１〜１３４および縮小映像データ１３５を、それぞれの映像データに対応した映像入力／出力部１０１〜１０５へ出力する。各映像データは、映像入力／出力部１０１〜１０５に入力される。
【００２５】
映像入力／出力部１０１〜１０５は、タイムコード生成器２０２によって生成されたタイムコードと映像データに付与されたタイムコードとを比較し、両者が同一であった場合に、そのタイムコードが付与されたフレームの映像データを取り込むことを決定する。映像入力／出力部１０１〜１０５は、フレーム同期信号生成器２０１によって生成されたタイミング信号によって示されるタイミングで、取り込みを決定した映像データを取り込んで、データ制御部１０８へ出力する。
【００２６】
映像入力／出力部１０１〜１０５を介して入力された各映像データは、対応した映像保存部１１１〜１１５に格納されるように、予め設定されている。データ制御部１０８は、映像保存部１１１〜１１５へのアクセス制御を行いながら、各映像データを、対応した映像保存部１１１〜１１５に所定のフォーマットで格納する。例えば、データ制御部１０８は、映像入力／出力部１０１を介して入力された実映像データ１３１を映像保存部１１１に格納するときは、映像保存部１１１に対する他のデータの書き込みや読み出しを禁止する排他制御を行う。映像信号の取り込みを停止する場合には、システム制御部１０７によって制御信号が映像信号発生源１３０へ出力され、映像信号発生源１３０は、この制御信号に基づいて、映像信号の再生を停止する。
【００２７】
なお、映像発生源１３０が、外部より制御することができない装置である場合には、マニュアルで映像信号発生源１３０に対して、映像信号の再生指示、停止指示を行うことにより、上記と同様に映像編集装置１内に実映像データを取り込むようにしてもよい。
【００２８】
図５は、映像保存部１１１〜１１５に格納された実映像データ１３１〜１３５を示している。映像保存部１１１には、図３における高精細映像素材１４０の左上１／４の領域に対応した時系列の実映像データ１３１が保存されている。この実映像データ１３１はＵＬ１，ＵＬ２，・・・，ＵＬＮのＮ個のフレームからなる。同様に、映像保存部１１２には、高精細映像素材１４０の右上１／４の領域に対応した時系列の実映像データ１３２が保存され、映像保存部１１３には、高精細映像素材１４０の左下１／４の領域に対応した時系列の実映像データ１３３が保存され、映像保存部１１４には、高精細映像素材１４０の右下１／４の領域に対応した時系列の実映像データ１３４が保存され、映像保存部１１５には、高精細映像素材１４０のサムネール映像に対応した時系列の縮小映像データ１３５が保存されている。
【００２９】
次に、映像信号を映像編集装置１に取り込んだ後に行う編集作業の前処理となるインデックスデータの生成について説明する。図６は、インデックス生成部１５０の構成を示すブロック図である。以下、図中の各構成について説明する。画像位置取得部１５１は、映像保存部１１１〜１１５に格納されている実映像データ１３１〜１３５の分割前の高精細映像における図示されていないユーザインタフェースによって入力された空間的位置を取得する。ユーザは、左上１／４の領域に対応した実映像データ１３１が映像保存部１１１に保存され、右上１／４の領域に対応した実映像データ１３２が映像保存部１１２に保存され、左下１／４の領域に対応した実映像データ１３３が映像保存部１１３に保存され、右下１／４の領域に対応した実映像データ１３４が映像保存部１１４に保存されていることを予め知り、上記の対応関係を画像位置取得部１５１から入力する。
【００３０】
データ書き込みアドレス取得部１５２は、映像保存部１１１〜１１４に格納された実映像データ１３１〜１３４の各フレームの記録位置を示すアドレス情報を取得する。このアドレス情報は、各映像保存部１１１〜１１４の名称あるいは識別子と各フレームの記録位置とを含んでいる。インデックス記録部１５３は、画像位置取得部１５１で取得された映像データの空間的位置を示す情報と、データ書き込みアドレス取得部１５２によって取得されたアドレス情報とに基づいて、インデックスデータを生成し、インデックス保存部１５４に格納する。インデックス保存部１５４は、インデックス記録部１５３によって生成されたインデックスデータ等を記憶する。インデックス生成制御部１５５は、編集部１２０による指示に基づいて、インデックス生成部１５０内の各部を制御する。
【００３１】
次に、インデックスデータ生成時の動作について説明する。映像保存部１１１〜１１５への実映像データ１３１〜１３４および縮小映像データ１３５の保存が終了した後、システム制御部１０７は、編集の前処理としてインデックスデータの生成を編集部１２０に指示する。指示を受けた編集部１２０は、インデックス生成部１５０に対してインデックスデータの生成を指示する。インデックス生成制御部１５５は、この指示に基づいて、データ書き込みアドレス取得部１５２にアドレス情報の取得を指示する。一方、システム制御部１０７は、データ制御部１０８に対してアドレス情報の生成を指示する。データ制御部１０８は、映像保存部１１１〜１１５に格納されている実映像データ１３１〜１３４の記録位置を示すアドレス情報を生成し、インデックス生成部１５０へ出力する。
【００３２】
データ書き込みアドレス取得部１５２はこのアドレス情報を取得し、インデックス記録部１５３へ出力する。また、画像位置取得部１５１は、ユーザによって入力された、映像データの空間的位置に関する情報をインデックス記録部１５３へ出力する。インデックス記録部１５３は、アドレス情報と、映像データの空間的位置に関する情報とに基づいて、インデックスデータを生成し、インデックス保存部１５４に格納する。
【００３３】
図７は、生成されたインデックスデータの一例を示している。インデックスデータＩＸ１００１は、各フレームの映像データの映像保存部１１１〜１１４中のアドレスを示すデータと、その素材を空間的にどの位置に配置すべきかを示すデータとによって構成されている。インデックスデータＩＸ１００１の具体的な内容は以下のようになっている。１フレーム目ＩＸ１は、実映像データ１３１の１フレーム目ＵＬ１、実映像データ１３２の１フレーム目ＵＲ１、実映像データ１３３の１フレーム目ＤＬ１、および実映像データ１３４の１フレーム目ＤＲ１についてのデータである。
【００３４】
インデックスデータＩＸ１００１の１フレーム目ＵＬ１における実映像データ１３１の１フレーム目ＵＬ１に関するデータは、実映像データ１３１の１フレーム目ＵＬ１が格納されている映像保存部１１１の名前と、映像保存部１１１中のアドレス（識別データ）と、分割前の映像における空間的な位置を示すデータ（左上、右上等を示す位置データ、あるいは画素数が予め分かっている場合には画素の位置データ）とによって構成されている。インデックスデータＩＸ１００１における実映像データ１３２の１フレーム目ＵＲ１、実映像データ１３３の１フレーム目ＤＬ１、および実映像データ１３４の１フレーム目ＤＲ１のそれぞれに関するデータについても同様であり、インデックスデータＩＸ１００１の他のフレームＩＸ２〜ＩＸＮのデータについても同様である。
【００３５】
次に、インデックスデータ生成時の他の動作について説明する。上述した動作においては、映像信号を取り込み、実映像データ１３１〜１３４および縮小映像データ１３５を全て映像保存部１１１〜１１５に保存した後にインデックスデータを生成したが、以下の動作においては、映像信号を取り込むと同時にインデックスデータを生成する。なお、インデックス生成部１５０の画像位置取得部１５１には、映像データの空間的位置に関する情報がユーザによって予め入力されているものとする。
【００３６】
データ制御部１０８は、映像入力／出力部１０１〜１０５を介して入力された実映像データ１３１〜１３４の各フレームを映像保存部１１１〜１１５に格納するごとに、その記録位置を示すアドレス情報を生成し、インデックス生成部１５０へ出力する。インデックス生成部１５０のデータ書き込みアドレス取得部１５２はこのアドレス情報を取得し、インデックス記録部１５３へ出力する。インデックス記録部１５３は、アドレス情報と、画像位置取得部１５１から出力された、映像データの空間的位置に関する情報とに基づいて、インデックスデータを生成し、インデックス保存部１５４に格納する。
【００３７】
実映像データ１３１〜１３４の各フレームが映像保存部１１１〜１１５に格納されるごとに、データ書き込みアドレス取得部１５２はアドレス情報を取得し、インデックス記録部１５３へ出力する。インデックス記録部１５３は、新たに取得されたアドレス情報に基づいてインデックスデータにデータを追加する。以上の動作により、図７と同様のインデックスデータが生成される。映像信号の取り込みと同時にインデックスデータが生成されるため、映像信号の取り込みが完了し次第、編集作業に移行することができる。
【００３８】
次に、インデックスデータを用いた編集方法について説明する。以下、編集時の動作を示すフローチャートである図８に沿って説明する。なお、編集時には前述した動作により、映像編集装置１の映像保存部１１１〜１１５に実映像データ１３１〜１３４および縮小映像データ１３５が格納され、インデックスデータがインデックス保存部１５４に格納されているものとする。また、図１において、映像入力／出力部１０５の出力端にはモニタが接続され、映像入力／出力部１０５から出力された映像をモニタで確認することができるものとする。
【００３９】
システム制御部１０７は映像編集装置１内の各部に対して、編集動作の開始を指示する。データ制御部１０８は映像保存部１１５から縮小映像データ１３５を読み出し、編集部１２０へ出力する。編集部１２０は、ユーザからの指示に応じて、縮小映像データ１３５に対して、映像のカットを入れ換える等の時間軸方向の編集と、色の変更やＣＧの重ね合わせ等の深さ方向の編集とを行う（ステップＳ８１）。このとき、編集部１２０は、縮小映像データ１３５に対して行った加工の手順を示す加工手順ファイル（手順データ）を生成し、データ制御部１０８へ出力する。この加工手順ファイルには、編集が行われたカット（フレーム）と、編集の内容および手順とが関係付けられている。縮小映像データ１３５は、元の大きさの高精細映像素材１４０と比べてデータ量が少ないので、高精細映像素材１４０と同じ大きさの映像データを直接編集するよりも短時間で編集を行うことができる。
【００４０】
データ制御部１０８は加工手順ファイルを映像保存部１１５に格納する。編集部１２０は、編集した縮小映像データ１３５をデータ制御部１０８へ出力する。データ制御部１０８は編集後の縮小映像データ１３５を映像入力／出力部１０５へ出力する。映像入力／出力部１０５は縮小映像データ１３５を映像信号に変換し、外部のモニタへ出力する。モニタは縮小映像を表示し（ステップＳ８２）、これによりユーザは編集結果を確認する。
【００４１】
続いて、編集結果を確認したユーザによって、編集がＯＫであるかＮＧであるかが判定される（ステップＳ８３）。ＮＧと判定された場合には、ステップＳ８１に戻る。あるいは、必要に応じて、前述した動作と同様にして、他の映像信号の取り込みを行う。また、ＯＫと判定された場合には、インデックス記録部１５３は、インデックス保存部１５４に格納されているインデックスデータを読み出し、インデックス生成制御部１５５を介して編集部１２０へ出力する。また、データ制御部１０８は映像保存部１１５から加工手順ファイルを読み出して編集部１２０へ出力する。編集部１２０は、インデックスデータおよび加工手順ファイルに基づいて、実映像データ１３１〜１３４に対する加工の内容および手順を解釈する（ステップＳ８４）。
【００４２】
続いて、編集部１２０は、実映像データ１３１〜１３４に対して、１フレームずつ、加工手順ファイルに記録された手順に従って編集を行う。このとき、編集部１２０は、インデックスデータ中のアドレス情報に基づいて、編集対象の実映像データ１３１〜１３４のフレームのアドレスをデータ制御部１０８に通知する。データ制御部１０８は、通知された映像保存部１１１〜１１４のアドレスに順番にアクセスし、映像保存部１１１〜１１４から実映像データ１３１〜１３４の各１フレーム分のデータを読み出し、編集部１２０へ出力する。
【００４３】
編集部１２０は、インデックスデータ中の、素材の空間位置に関する情報を参照し、図示せぬＲＡＭ等の一時記憶領域において実映像データ１３１の１フレームを左上、実映像データ１３２の１フレームを右上、実映像データ１３３の１フレームを左下、実映像データ１３４の１フレームを右下に論理的に配置し、加工手順ファイルによって示される編集を行う。ここで、縮小映像データ１３５が縮小前の高精細映像の例えば１／４のサイズであった場合、編集部１２０は縮小映像データ１３５の座標と実映像データ１３１〜１３４の座標との対応関係を予め知ることができる。
【００４４】
この場合、編集部１２０は、加工手順ファイルに基づいて、縮小画像データ１３５の画像において編集が行われた部分の座標を検出し、その座標に対応する縮小前の高精細映像中の座標を算出する。編集部１２０は、算出した座標がどの実映像データのどの位置に該当するのかをインデックスデータに基づいて検出し、検出した実映像データの該当位置に対して、加工手順ファイルによって示される編集を行う。これにより、縮小映像データ１３５に対する編集処理の結果を、実映像データ１３１〜１３４に対する編集処理に反映させることができる。
【００４５】
編集部１２０は上記の編集後の実映像データ１３１〜１３４の各１フレーム分のデータをデータ制御部１０８へ出力する。データ制御部１０８はこのデータを、対応する映像保存部１１１〜１１４に格納する。上記の動作を、実映像データ１３１〜１３４の各フレームに対して繰り返しながら、編集を行う（ステップＳ８５）。
【００４６】
続いて、データ制御部１０８は編集後の実映像データ１３１〜１３４を１フレームずつ読み出し、順次編集部１２０へ出力する。編集部１２０は、実映像データ１３１〜１３４の各フレームを一時記憶領域上で結合し、画素を間引く、あるいは画素補間を行うことにより画素数を縮小した映像データを生成し、その１フレーム分の映像データをデータ制御部１０８へ出力する。データ制御部１０８はこの映像データを映像入力／出力部１０５へ出力する。映像入力／出力部１０５はこの映像データを映像信号に変換し、外部のモニタへ出力する。モニタは編集後の縮小映像を表示する。以上の動作を実映像データ１３１〜１３４の各フレームについて繰り返す。ユーザはモニタに表示された縮小映像により、編集結果を確認する（ステップＳ８６）。
【００４７】
続いて、編集結果を確認したユーザによって、編集がＯＫであるかＮＧであるかが判定される（ステップＳ８７）。ＮＧと判定された場合には、ステップＳ８１に戻る。あるいは、必要に応じて、前述した動作と同様にして、他の映像信号の取り込みを行う。また、ＯＫと判定された場合には、編集した実映像データ１３１〜１３４を所定のフォーマットに変換し（ステップＳ８８）、編集が終了する。
【００４８】
なお、ステップＳ８６において、映像入力／出力部１０１〜１０４のそれぞれにモニタを接続し、各実映像データ１３１〜１３４の映像信号を映像入力／出力部１０１〜１０４から各モニタに出力し、各実映像データ１３１〜１３４に基づいた映像を各モニタに表示することにより、編集結果の確認を行ってもよい。
【００４９】
本実施形態において、インデックスデータに含まれている、実映像データ１３１〜１３４の各フレームの映像保存部１１１〜１１４における記録位置の情報は、各フレームを識別する他の情報（例えばシーケンス番号等）であってもよい。データ制御部１０８が映像保存部１１１〜１１４に記録されている映像データにより高速にアクセスするためには、各映像データの記録位置の情報がインデックスデータに含まれていることが望ましい。
【００５０】
上述したように、本実施形態において映像入力／出力部１０１〜１０５は、タイムコード生成器２０２によって生成されたタイムコードと、各実映像データ１３１〜１３４に付与されたタイムコードとを比較し、両者が同一であった場合に、タイムコード生成器２０２によって生成されたタイミング信号に基づいたタイミングで各実映像データ１３１〜１３４を取り込み、データ制御部１０８へ出力する。これにより、実映像データ１３１〜１３４の各フレームが同期して映像編集装置１に入力されるので、実映像データ１３１〜１３４を映像編集装置１内に高速に取り込むことができる。
【００５１】
また、本実施形態による編集部１２０は、縮小映像データ１３５の編集時に生成された加工手順ファイルとインデックスデータとに基づいて、編集に必要な実映像データを映像保存部１１１〜１１４のそれぞれから読み出し、４分割のままの各々の実映像データに対して、加工手順ファイルに基づいた編集を行う。これは、従来のように、４分割の実映像データ１３１〜１３４を結合（合成）して元の大きさの高精細映像データを作成し、その高精細映像データを映像保存部１１１〜１１５のいずれかまたは他の記録媒体に一旦保存してから、その高精細映像データを編集するのとは大きく異なる。
【００５２】
本実施形態によれば、実映像データ１１１〜１１４のフレームを必要な分だけ記憶し得るＲＡＭ等の作業領域が用意されていればよいので、従来よりも記録媒体の記録容量を削減することができる。したがって、コストを削減することができる。また、実映像データ１３１〜１３４を合成した高精細映像データを記録媒体に保存すると非常に時間がかかるので、本実施形態によれば、この時間を削除することができ、高速かつ効率的に編集を行うことができる。
【００５３】
次に、本発明の第２の実施形態について説明する。図９は、本実施形態によるインデックス生成部１５０の構成を示すブロック図である。映像編集装置１内の他の構成は図１等と同様であるとする。本実施形態においては、画像位置取得部１５１に替えて、画像位置検出部１５６が設けられている。また、映像信号発生源１３０から入力される実映像データ１３１〜１３４には、各実映像データの空間的位置に関する情報が付与されている。
【００５４】
データ制御部１０８は、映像入力／出力部１０１〜１０４を介して入力された実映像データ１３１〜１３４に付与された上記の情報を検出し、画像位置検出部１５６へ出力する。画像位置検出部１５６は、この情報に基づいて、各実映像データの空間的位置を検出し、インデックス記録部１５３に通知する。インデックス記録部１５３は、第１の実施形態と同様にしてインデックスデータを生成し、インデックス保存部１５４に格納する。これにより、ユーザが各実映像データの空間的位置を入力する必要がないので、ユーザの手間を軽減することができる。
【００５５】
次に、本発明の第３の実施形態について説明する。図１０は、本実施形態によるインデックス生成部１５０の構成を示すブロック図である。映像編集装置１内の他の構成は図１等と同様であるとする。本実施形態においては、実映像データ管理部１５７が設けられている。実映像データ管理部１５７は、インデックスデータが参照する実映像データを管理する。例えば、実映像データとインデックスデータとの関係が図７に示される関係である場合に、ユーザが実映像データ１３１〜１３４のいずれか１つのデータを削除しようとした場合には、実映像データ管理部１５７が図示せぬ表示部に警告を表示したり、データが削除されるのを防止したりする。
【００５６】
また、ユーザがインデックスデータＩＸ１００１を削除しようとした場合には、実映像データ管理部１５７は、図示せぬ操作部からユーザによって入力された情報に基づいてインデックスデータＩＸ１００１の削除の指示を検出し、インデックス生成制御部１５５に対して、インデックスデータＩＸ１００１の読み出しを指示する。インデックス生成制御部１５５は、インデックス記録部１５３を介してインデックスデータＩＸ１００１を読み出し、インデックスデータＩＸ１００１に関係付けられた実映像データ１３１〜１３４の情報を実映像データ管理部１５７に通知する。
【００５７】
実映像データ管理部１５７は、編集部１２０を介して、実映像データ１３１〜１３４の削除をデータ制御部１０８に指示する。データ制御部１０８は、この指示に基づいて映像保存部１１１〜１１４に保存されている実映像データ１３１〜１３４を削除する。これにより、実映像データ１３１〜１３４を削除する場合には、それらのデータと関係付けられたインデックスデータＩＸ１００１を削除するだけでよいので、ユーザの手間を軽減することができる。上記のように、インデックスデータを用いて実映像データを管理することにより、複数の映像データの管理が容易になる。
【００５８】
以上、図面を参照して本発明の実施形態について詳述してきたが、具体的な構成はこれらの実施の形態に限られるものではなく、この発明の要旨を逸脱しない範囲の設計変更等も含まれる。
【図面の簡単な説明】
【００５９】
【図１】本発明の第１の実施形態による映像編集装置の構成を示すブロック図である。
【図２】第1の実施形態による映像編集装置に外部装置から映像信号を取り込む場合の接続関係を示すブロック図である。
【図３】第１の実施形態による映像信号発生源の構成を示すブロック図である。
【図４】第１の実施形態による同期制御部の構成を示すブロック図である。
【図５】第１の実施形態において映像保存部に格納された実映像データの構造を示す参考図である。
【図６】第１の実施形態によるインデックス生成部の構成を示すブロック図である。
【図７】第１の実施形態におけるインデックスデータの一例を示す参考図である。
【図８】第1の実施形態における編集時の動作を示すフローチャートである。
【図９】本発明の第２の実施形態によるインデックス生成部の構成を示すブロック図である。
【図１０】本発明の第３の実施形態によるインデックス生成部の構成を示すブロック図である。
【符号の説明】
【００６０】
１・・・映像編集装置、１０１，１０２，１０３，１０４，１０５・・・映像入力／出力部（映像入力手段）、１０６・・・同期制御部（同期制御手段）、１０７・・・システム制御部、１０８・・・データ制御部（映像格納手段）、１１１，１１２，１１３，１１４，１１５・・・映像保存部（映像記憶手段）、１２０・・・編集部（編集手段）、１３０・・・映像信号発生源、１５０・・・インデックス生成部、１５１・・・画像位置取得部、１５２・・・データ書き込みアドレス取得部、１５３・・・インデックス記録部（インデックス生成手段、インデックス格納手段）、１５４・・・インデックス保存部（インデックス記憶手段）、１５５・・・インデックス生成制御部、１５６・・・画像位置検出部、１５７・・・実映像データ管理部、２０１・・・フレーム同期信号生成器、２０２・・・タイムコード生成器、２０３・・・コマンド生成器。
【図１】
2006019804.tif 000003
【図２】
2006019804.tif 000004
【図３】
2006019804.tif 000005
【図４】
2006019804.tif 000006
【図５】
2006019804.tif 000007
【図６】
2006019804.tif 000008
【図７】
2006019804.tif 000009
【図８】
2006019804.tif 000010
【図９】
2006019804.tif 000011
【図１０】
2006019804.tif 000012